(57)【要約】【課題】皮膚の色素沈着の度合を、客観的なパラメーターで定量的に、しかも簡便かつ的確に評価し得る方法及び評価用具の提供。【解決手段】皮膚の色素沈着部位と、少なくとも明度が異なる複数の色見本とを対比照合することにより、当該皮膚の色素沈着部位に最も近似した色見本を選定し、この選定した色見本の明度を当該部位の皮膚の色素沈着評価値とする皮膚の色素沈着度合評価方法；支持体に、色相と彩度が共通で明度が異なる複数の色見本を、当該明度を表わす記号と共に表示した皮膚の色素沈着度合評価用具。【選択図】図１
2006204901.tif 000002
【特許請求の範囲】
【請求項１】
皮膚の色素沈着部位と、少なくとも明度が異なる複数の色見本とを対比照合することにより、当該皮膚の色素沈着部位に最も近似した色見本を選定し、この選定した色見本の明度を当該部位の皮膚の色素沈着評価値とすることを特徴とする皮膚の色素沈着度合評価方法。
【請求項２】
皮膚の色素沈着部位と、彩度および／または色相が固定され、かつ明度が異なる複数の色見本とを対比照合することにより、当該皮膚の色素沈着部位に最も近似した色見本を選定し、この選定した色見本の明度を当該部位の皮膚の色素沈着評価値とすることを特徴とする皮膚の色素沈着度合評価方法。
【請求項３】
彩度および／または色相が固定され、かつ明度がマンセル明度の明度差で０．２以上０．５未満の間隔で作成された異なる複数の色見本を順に並べて、皮膚の色素沈着部位と対比照合することにより、当該皮膚の色素沈着部位に最も近似した色見本を選定し、この選定した色見本の明度を当該部位の皮膚の色素沈着評価値とすることを特徴とする皮膚の色素沈着度合評価方法。
【請求項４】
彩度および／または色相が固定され、かつ明度がマンセル明度０．２５の間隔で作成された異なる複数の色見本を順に並べて、皮膚の色素沈着部位と対比照合することにより、当該皮膚の色素沈着部位に最も近似した色見本を選定し、この選定した色見本の明度を当該部位の皮膚の色素沈着評価値とすることを特徴とする皮膚の色素沈着度合評価方法。
【請求項５】
色見本の明度が、マンセル明度のＶ４．０〜Ｖ８．５の範囲にあるものであることを特徴とする請求項１〜４の何れか１項記載の皮膚の色素沈着度合評価方法。
【請求項６】
色見本の彩度が、マンセル彩度のＣ３〜Ｃ５から選ばれる１種であることを特徴とする請求項１〜５の何れか１項記載の皮膚の色素沈着度合評価方法。
【請求項７】
色見本の色相が、マンセル色相の１ＹＲ〜１０ＹＲから選ばれる１種であることを特徴とする請求項１〜６の何れか１項記載の皮膚の色素沈着度合評価方法。
【請求項８】
表示されている色見本の数、彩度及び異なる明度の種類が共通で、表示されている色見本の色相が異なる色見本の複数の集合を用いることを特徴とする請求項１〜６の何れか１項記載の皮膚の色素沈着度合評価方法。
【請求項９】
色見本の集合が３群以上であり、かつ各群の色見本の色相が順次等間隔で異なっていることを特徴とする請求項８記載の皮膚の色素沈着度合評価方法。
【請求項１０】
マンセル色相が１ＹＲ、マンセル彩度がＣ４及びマンセル明度がＶ４．０〜Ｖ８．５の色見本を明度差０．２５間隔で表示した第１の色見本の集合と、マンセル色相が３ＹＲ、マンセル彩度がＣ４及びマンセル明度がＶ４．０〜Ｖ８．５の色見本を明度差０．２５間隔で表示した第２の色見本の集合と、マンセル色相が５ＹＲ、マンセル彩度がＣ４及びマンセル明度がＶ４．０〜Ｖ８．５の色見本を明度差０．２５間隔で表示した第３の色見本の集合と、マンセル色相が７ＹＲ、マンセル彩度がＣ４及びマンセル明度がＶ４．０〜Ｖ８．５の色見本を明度差０．２５間隔で表示した第４の色見本の集合と、マンセル色相が９ＹＲ、マンセル彩度がＣ４及びマンセル明度がＶ４．０〜Ｖ８．５の色見本を明度差０．２５間隔で表示した第５の色見本の集合とを用いることを特徴とする請求項１〜９の何れか１項記載の皮膚の色素沈着度合評価方法。
【請求項１１】
支持体に、彩度および／または色相が固定され、かつ明度が異なる複数の色見本を、当該各明度を表わす記号と共に表示したことを特徴とする皮膚の色素沈着度合評価用具。
【請求項１２】
色見本が、マンセル明度の明度差０．２以上０．５未満の間隔で複数表示されていることを特徴とする請求項１１に記載の皮膚の色素沈着度合評価用具。
【請求項１３】
色見本が、マンセル明度の明度差０．２５間隔で複数表示されていることを特徴とする請求項１１又は１２に記載の皮膚の色素沈着度合評価用具。
【請求項１４】
色見本の明度が、マンセル明度のＶ４．０〜Ｖ８．５の範囲にあるものであることを特徴とする請求項１１〜１３の何れか１項記載の皮膚の色素沈着度合評価用具。
【請求項１５】
色見本の彩度が、マンセル彩度のＣ３〜Ｃ５から選ばれる１種であることを特徴とする請求項１１〜１４の何れか１項記載の皮膚の色素沈着度合評価用具。
【請求項１６】
色見本の色相が、マンセル色相の１ＹＲ〜１０ＹＲから選ばれる１種であることを特徴とする請求項１１〜１５の何れか１項記載の皮膚の色素沈着度合評価用具。
【請求項１７】
表示されている色見本の数、彩度、異なる明度の種類及び当該各明度を表わす記号が共通で、表示されている色見本の色相が異なる複数の支持体から成ることを特徴とする皮膚の色素沈着度合評価用具。
【請求項１８】
支持体が３個以上であり、かつ各支持体に表示された色見本の色相が順次等間隔で異なっていることを特徴とする請求項１７記載の皮膚の色素沈着度合評価用具。
【請求項１９】
請求項１１〜１８の何れか１項記載の色見本の支持体を、皮膚の色素沈着部位を透視し得る間隔にて、透明基盤上に着脱自在に配置したことを特徴とする皮膚の色素沈着度合評価用具。
【請求項２０】
マンセル色相が１ＹＲ、マンセル彩度がＣ４及びマンセル明度がＶ４．０〜Ｖ８．５の色見本を明度差０．２５間隔で当該各明度を表わす記号と共に計１９種表示した第１の支持体と、マンセル色相が３ＹＲ、マンセル彩度がＣ４及びマンセル明度がＶ４．０〜Ｖ８．５の色見本を明度差０．２５間隔で当該各明度を表わす記号と共に計１９種表示した第２の支持体と、マンセル色相が５ＹＲ、マンセル彩度がＣ４及びマンセル明度がＶ４．０〜Ｖ８．５の色見本を明度差０．２５間隔で当該各明度を表わす記号と共に計１９種表示した第３の支持体と、マンセル色相が７ＹＲ、マンセル彩度がＣ４及びマンセル明度がＶ４．０〜Ｖ８．５の色見本を明度差０．２５間隔で当該各明度を表わす記号と共に計１９種表示した第４の支持体と、マンセル色相が９ＹＲ、マンセル彩度がＣ４及びマンセル明度がＶ４．０〜Ｖ８．５の色見本を明度差０．２５間隔で当該各明度を表わす記号と共に計１９種表示した第５の支持体とから成ることを特徴とする皮膚の色素沈着度合評価用具。
【請求項２１】
請求項２０に記載の第１〜第５の支持体を、皮膚の色素沈着部位を透視し得る間隔にて、透明基盤上に着脱自在に平行配置したことを特徴とする皮膚の色素沈着度合評価用具。
【請求項２２】
支持体が、短冊状支持体であることを特徴とする請求項１１〜２１の何れか１項記載の皮膚の色素沈着度合評価用具。
【発明の詳細な説明】
【技術分野】
【０００１】
本発明は皮膚の色素沈着度合を簡便かつ的確に評価することができる方法及び用具に関する。
【背景技術】
【０００２】
皮膚色は皮膚の状態を示す指標の１つである。皮膚は正常の状態でも、個々人あるいは部位によって様々な色を示す。もちろん病的な状態では皮膚色はダイナミックに変化していく。従来皮膚科領域では、これらの皮膚色の状態の評価は、肉眼的に観察し、皮膚所見として言葉で記述し、さらに写真によって記録する方法によって行なわれてきた。しかしこの方法では評価者の主観的な側面が強いこと、定量化することが困難であることなどの問題があった。
【０００３】
そこで皮膚色を客観的なパラメーターで定量的に評価することが試みられてきている。従来の皮膚色の測定として次の二種の方法がよく用いられている（例えば非特許文献１、２及び３参照）。
第一は、分光光度計によって広域もしくはある範囲の波長域の可視光の吸収率及び反射率を測定する方法である。皮膚科領域ではナロウバンドスペクトロフォトメータ（DermaSpectrometer, Cortex Technology, Denmark）がしばしば用いられている。
第二は、皮膚表面からの反射光を分析する方法であり、色彩色差計（Minolta Chroma Meter）が有名である。
その他ビデオマイクロスコープとコンピューターを組み合わせて、紅斑・色素沈着・皮膚腫瘍の色調を定量的に評価する試みも報告されている（例えば非特許文献４、５参照）。
【０００４】
しかしながら、これらの方法には高額な特殊機器を必要とするため、使用できる施設が限られてしまうのが実状であった。
【非特許文献１】Takiwaki H, et al: Skin Pharmacol 7:217,1994
【非特許文献２】川田暁，他：皮膚病診療  ２６：６０５，２００４
【非特許文献３】Fullerton A, et al: Contact Dermatitis 35: 1, 1996
【非特許文献４】Takiwaki H, et al:Br J Dermatitis 131:85, 1994
【非特許文献５】Takiwaki H, et al: J Am Acad Dermatol 32: 600, 1995
【発明の開示】
【発明が解決しようとする課題】
【０００５】
本発明は、上記の如き従来の問題と実状に鑑みてなされたものであり、皮膚の色素沈着の度合を、客観的なパラメーターで定量的に、しかも簡便かつ的確に評価し得る方法及び当該方法に好適に用いられる評価用具を提供することを課題とする。
【課題を解決するための手段】
【０００６】
本発明の皮膚の色素沈着度合評価方法は、皮膚の色素沈着部位と、少なくとも明度が異なる複数の色見本とを対比照合することにより、当該皮膚の色素沈着部位に最も近似した色見本を選定し、この選定した色見本の明度を当該部位の皮膚の色素沈着評価値とすることにより上記課題を解決したものである。
【０００７】
また、本発明の皮膚の色素沈着度合評価用具は、支持体に、色相および／または彩度が固定され明度が異なる複数の色見本を、当該各明度を表わす記号と共に表示することにより上記課題を解決したものである。
【発明の効果】
【０００８】
本発明によれば、高額な特殊機器を用いることなく、対象部位と対応する色見本を１個選定することにより、皮膚の色素沈着度合を評価することができる。また、色見本の色は、色相、彩度、明度を各々数値で表すことができるため、本発明により、評価者の主観に左右されず、客観的な数値で定量的に、しかも簡便かつ的確に皮膚の色素沈着度合を評価することができる。
【０００９】
従ってまた、本発明によれば、肝斑・老人性色素斑（日光性黒子）・雀卵斑・色素性母斑・扁平母斑・炎症後色素沈着など種々の色素性病変の診断、あるいはそれらの色素性病変に対する美白剤による改善効果やレーザーなどによる治療効果の判定を、投与前後あるいは治療処置前後の数値比較により、容易にしかも客観的に行なうことができるので、本発明は特に医療分野や医薬品の開発分野において有用性に優れるものである。
【発明を実施するための最良の形態】
【００１０】
本発明においては、色見本の支持体の形状としては特に限定されないが、短冊状とするのが皮膚の色素沈着部位と色見本との対比照合のし易さの点から望ましい。また、支持体の材質も色見本を表示し得るものであれば、紙、合成樹脂等その如何を問わない。
【００１１】
この支持体に表示される色見本の色相としては、対象とする人種等により適宜選定されるが、黄色人種たる日本人用としては１ＹＲ〜１０ＹＲから選ばれる１種が望ましい。因に、当該マンセル色相は、数字が小さいほど赤色（Ｒｅｄ＝Ｒ）に近い色相を呈し、数字が大きいほど黄色（Ｙｅｌｌｏｗ＝Ｙ）に近い色相を呈する。
【００１２】
また、色見本の彩度としては、日本人の肌の平均的な彩度がＣ４であり、一般に肌の色の彩度はあまり大きく変化しないので、マンセル彩度のＣ３〜Ｃ５から選ばれる１種が望ましく、Ｃ４とするのが特に望ましい。
【００１３】
また、色見本の明度としては、一般的な肌の色の明度分布及び色素沈着例を考慮し、適宜選定されるが、日本人用としては、マンセル明度のＶ４．０〜Ｖ８．５の範囲にあるものを適宜数選択表示するのが望ましい。因に、当該マンセル明度は、数字が小さいほど暗く、数字が大きいほど明るくなる。
【００１４】
色見本は複数あれば皮膚の色素沈着度合を評価することができるが、彩度および／または色相が固定され、かつ明度が異なる色見本の複数の集合を用い、この中から最も近似した色見本を選別するのが簡便で効率が良い。従って、支持体には斯かる色見本の複数の集合を表示するのが好ましいが、支持体に表示する色見本の数としては、余りに多過ぎると、各色見本間の明度差が小さくなり肉眼では識別対応し得なくなるので、皮膚の色素沈着部位との対比照合に困難が生じ、他方余りに少な過ぎると、色素沈着の度合を的確に評価し得なくなる。人が色見本と皮膚の色素沈着を対比照合するときに識別し得る最小の明度差はマンセル明度で０．２４であり、０．２以上０．５未満の範囲内、より好ましくは０．２５の明度差で表示することにより、効率良く色素沈着の度合を評価することができる。特にマンセル明度Ｖ４．０〜Ｖ８．５の色見本を、明度差０．２５間隔で複数種を表示するのが望ましく、さらには明度の順に１９種表示するのが、最も効率良くかつ的確に色素沈着の度合を評価でき、特に良い結果が得られる。
【００１５】
本発明において、色見本の支持体への具体的表示方法は、支持体への直接表示あるいは色票貼合等その如何を問わない。
【００１６】
また、本発明においては、少なくとも各色見本の明度を表わす記号を支持体に表示することが必要であるが、更に当該色見本の色相及び彩度を表わす記号も支持体に表示するのが、色相・彩度を認識しつつ対比照合を行なうことができるので望ましい。
さらに、該支持体の各色見本に隣接した部分に窓穴を形設すれば、その窓穴に対象となる皮膚の色素沈着部位をあてることにより、色見本との対比照合をよりスムースに行なうことができるので望ましい。
【００１７】
本発明は上記の如き色見本を表示した１個の支持体で実施し得るが、表示されている色見本の数、彩度、異なる明度の種類及び当該各明度を表わす記号が共通で、表示されている色見本の色相がそれぞれ異なる複数の支持体を１組として実施すれば、色素沈着部位との対比に際し、色相の相違をも加味して照合し得るので、より的確な色見本の選定を行なうことができ有利である。複数の支持体の色見本の色相としては、マンセル色相の１ＹＲ〜１０ＹＲのうちの何れかをそれぞれ選ぶのが好ましい。この場合、当該選んだ色相は順次等間隔で異なっていることが望ましく、また、何れか一方の色相記号側に偏りがないのが望ましい。色相が異なる複数の支持体の個数としては、２個から１０個が望ましく、３個から７個がさらに望ましく、５個が最も望ましい。
【００１８】
支持体の個数を５個とする場合、当該各支持体に表示される色見本の色相としては、それぞれマンセル色相の１ＹＲ、３ＹＲ、５ＹＲ、７ＹＲ、９ＹＲの組み合わせ、もしくは２ＹＲ、４ＹＲ、６ＹＲ、８ＹＲ、１０ＹＲの組み合わせとするのが望ましい。
【００１９】
また、斯かる５個の支持体はバラバラでも良いが、煩雑であるため、これを皮膚の色素沈着部位を透視し得る間隔にて、透明基板上に着脱自在に配置すれば、まず配置状態のまま当該透明間隔部を通して色素沈着部位と５個の支持体の色見本の色相とを対比することにより、最も近い色相の支持体を１個選び出し、次いでこの選び出した１個の支持体を透明基板から取り外し、該支持体の各色見本の明度と色素沈着部位とを対比照合することにより、最も近い明度の色見本を選定し得るので、よりスムースに色相を加味した色見本の選定を行なうことができ更に有利である。
【００２０】
この場合、各支持体と透明基板の着脱手段は特に限定されないが、面ファスナーが簡便である。また、各支持体は、患者の肌に直接触れるため、裏面は抗菌性の材質でシールドしているとさらに良い。
【実施例】
【００２１】
以下実施例を挙げて本発明を更に説明する。
【００２２】
図１は、本発明の皮膚の色素沈着度合評価用具の第１の実施例を示す平面説明図である。
この図１において、１０は短冊状支持体で、厚紙から構成されている。
【００２３】
２０は色見本で、支持体１０の表面に色票を貼合することにより表示されている。この各色見本２０は、マンセル色相の５ＹＲ、マンセル彩度のＣ４、マンセル明度のＶ４．０〜Ｖ８．５のものが、明度差０．２５間隔で計１９種支持体１０の下部から上部にわたり、適宜間隔を以って平行に表示されている。
【００２４】
３０は色相記号で、色見本２０のマンセル色相を表わす記号（この実施例の場合５ＹＲ）を以って、支持体１０の上部余白部１０ａに表示されている。
【００２５】
４０は彩度記号で、色見本２０のマンセル彩度を表わす記号（この実施例の場合Ｃ４）を以って、支持体１０の上部余白部１０ａに、上記の色相記号３０と共に併記されている。
【００２６】
５０は明度記号で、各色見本２０のマンセル明度を表わす記号（この実施例の場合Ｖ４．０〜Ｖ８．５の計１９種）を以って、支持体１０の各色見本下位部１０ｂに、それぞれの色見本２０に対応せしめて表示されている。
【００２７】
この図１の実施例に係る皮膚の色素沈着評価用具を用いれば、皮膚の色素沈着部位に、支持体１０をスライドせしめながら色見本２０との対比照合することにより、当該皮膚の色素沈着部位に最も近似した色見本を選定し、この選定した色見本の明度、例えばＶ７．０を当該部位における皮膚の色素沈着度合評価としてカルテ等に客観的な数値として表示することができる。
【００２８】
図２は、本発明の皮膚の色素沈着度合評価用具の第２の実施例を示す平面説明図である。
この図２において、１１、１２、１３、１４、１５はそれぞれ短冊状支持体で、第１の短冊状支持体１１にはマンセル色相が１ＹＲ、マンセル彩度がＣ４、マンセル明度がＶ４．０〜Ｖ８．５の色見本２１が、第２の短冊状支持体１２にはマンセル色相が３ＹＲ、マンセル彩度がＣ４、マンセル明度がＶ４．０〜Ｖ８．５の色見本２２が、第３の短冊状支持体１３にはマンセル色相が５ＹＲ、マンセル彩度がＣ４、マンセル明度がＶ４．０〜Ｖ８．５の色見本２３が、第４の短冊状支持体１４にはマンセル色相が７ＹＲ、マンセル彩度がＣ４、マンセル明度がＶ４．０〜Ｖ８．５の色見本２４が、第５の短冊状支持体１５にはマンセル色相が９ＹＲ、マンセル彩度がＣ４、マンセル明度がＶ４．０〜Ｖ８．５の色見本２５が、それぞれ明度差０．２５間隔で１９種ずつ表示されていると共に、それぞれ色相記号３０、彩度記号４０及び明度記号５０が表示されている。
【００２９】
この図２の実施例に係る皮膚の色素沈着度合評価用具は、彩度及び明度が共通で色相が異なる色見本２１〜２５がそれぞれ表示された５本の短冊状支持体１１〜１５を１組として構成されているため、色相が単一の色見本が表示された１本の短冊状支持体から成る図１の実施例に係る皮膚の色素沈着度合評価用具に比し、色相の相違をも加味してより的確に色見本の選定を行なうことができる。
【００３０】
図３は、本発明の皮膚の色素沈着度合評価用具の第３の実施例を示す平面説明図である。
この図３において、１１、１２、１３、１４、１５は、図２の実施例に係る皮膚の色素沈着度合評価用具を構成する短冊状支持体で、それぞれ透明基板６０上に、皮膚の色素沈着部位を透視し得る間隔を以って、面ファスナー７０により着脱自在に平行配置されている。
因に、面ファスナー７０は、図４及び図５に示すように、短冊状支持体１１〜１５の裏面と透明基板６０の表面に貼合されている。
【００３１】
この図３の実施例に係る皮膚の色素沈着度合評価用具は、透明基板６０上に、図２の実施例に係る皮膚の色素沈着度合評価用具、すなわち彩度及び明度が共通で色相が異なる色見本２１〜２５がそれぞれ表示された５本の短冊状支持体１１〜１５が配置されて構成されているため、まず配置状態のまま透明基板６０の短冊状支持体間６０ａを通して色素沈着部位と色見本２１〜２５を対比することにより、最も近い色相の短冊状支持体を１本選び出し、次いでこの選び出した１本の支持体を透明基板６０から取り外し、該支持体の各色見本の明度と色素沈着部位とを対比照合することにより、最も近い明度の色見本を選定し得るので、よりスムースに色相を加味した色見本の選定を行なうことができる。
【図面の簡単な説明】
【００３２】
【図１】本発明評価用具の第１の実施例を示す平面説明図。
【図２】本発明評価用具の第２の実施例を示す平面説明図。
【図３】本発明評価用具の第３の実施例を示す平面説明図。
【図４】支持体の背面説明図。
【図５】透明基板の平面説明図。
【符号の説明】
【００３３】
１０：短冊状支持体
１０ａ：上部余白部
１０ｂ：色見本下位部
１１、１２、１３、１４、１５：短冊状支持体
２０：色見本
２１、２２、２３、２４、２５：色見本
３０：色相記号
４０：彩度記号
５０：明度記号
６０：透明基板
６０ａ：短冊状支持体間
７０：面ファスナー
【図１】
2006204901.tif 000003
【図２】
2006204901.tif 000004
【図３】
2006204901.tif 000005
【図４】
2006204901.tif 000006
【図５】
2006204901.tif 000007